(57)【要約】【課題】  ピックアップベース４に板ばね部材５をねじ６により締結するねじ締結機構において、接着剤を用いることなく簡易な構成でねじ６に緩み止めを施す。【解決手段】  本発明に係るねじ締結機構において、板ばね部材５は平板状本体部51を具え、該平板状本体部51には、ねじ６のねじ軸部62が挿通されるべきねじ挿通孔が開設されると共に、該ねじ挿通孔を包囲する複数箇所に、ねじ頭部61の裏面に圧接されてねじ６の緩み方向の回転を阻止すべき切起し片55が一体成形されている。【選択図】      図５
2005330980.tif 000002
【特許請求の範囲】
【請求項１】
ベースに弾性材料からなる被締結部材をねじにより締結するねじ締結機構において、前記被締結部材は平板状本体部を具え、該平板状本体部には、前記ねじのねじ軸部が挿通されるべきねじ挿通孔が開設されると共に、該ねじ挿通孔を包囲する複数箇所に、ねじ頭部の裏面に圧接されてねじの緩み方向の回転を阻止すべき切起し片が一体成形されていることを特徴とするねじ締結機構。
【請求項２】
前記被締結部材は、前記ベースに相対回転不能に係合している請求項１に記載のねじ締結機構。
【請求項３】
前記被締結部材の切起し片は、平板状本体部の表面に対して垂直方向の弾性変形が可能に形成されている請求項１又は請求項２に記載のねじ締結機構。
【請求項４】
前記ねじの頭部の裏面には、ねじ軸部を中心として、ねじの緩み方向の回転時に前記被締結部材の切起し片の先端が引っ掛かる複数の段差部が繰り返し形成されている請求項１乃至請求項３の何れかに記載のねじ締結機構。
【発明の詳細な説明】
【技術分野】
【０００１】
本発明は、ベースに被締結部材をねじにより締結するねじ締結機構に関するものである。
【背景技術】
【０００２】
光ディスク再生装置においては、図１及び図２に示す如く、シャーシ(１)上に第１及び第２のガイドシャフト(２)(３)が互いに平行に架設され、両ガイドシャフト(２)(３)によってピックアップベース(４)が往復移動を案内されており、ピックアップベース(４)上のピックアップによってディスクから信号が読み出される。
【０００３】
ここで、第１ガイドシャフト(２)は、ピックアップベース(４)の一方の側部に突設された２つの筒状の軸受け部(41)(42)に緊密に嵌入しているのに対し、第２ガイドシャフト(３)は、ピックアップベース(４)の他方の側部に突設されたＵ字状の軸受け部(43)に遊びをもって嵌入しており、これによってピックアップベース(４)のスムーズな往復移動を実現している。
【０００４】
ピックアップベース(４)上には、図３に示す如くＵ字状軸受け部(43)の側部に、板ばね部材(５)がねじ(６)によって固定されており、該板ばね部材(５)の端部を前記第２ガイドシャフト(３)の外周面に圧接させることにより、ピックアップベース(４)と第２ガイドシャフト(３)の間のガタツキを防止している。
【０００５】
ところで、光ディスク再生装置においては、ピックアップベース(４)の往復移動に伴って、シャーシ(１)やピックアップベース(４)に振動が加わるので、板ばね部材(５)をピックアップベース(４)に固定しているねじ(６)が徐々に緩む虞がある。
【０００６】
一般にねじ締結機構の緩み止めとしては、バネ座金を介してねじを締め付ける方法が広く採用されており(特許文献１参照)、光ディスク再生装置における板ばね部材の固定にも、バネ座金を用いたねじ締結機構を採用することが考えられる。
【特許文献１】特開平１１−２８０７３８号公報［F16B39/26］
【発明の開示】
【発明が解決しようとする課題】
【０００７】
しかしながら、ねじ締結機構にばね座金を用いることにより、部品点数が増加して、コストアップを招く問題がある。
そこで、従来の光ディスク再生装置においては、ピックアップベースに板ばね部材を固定するねじの頭部と板ばね部材との間に接着剤を充填してねじの緩みを阻止する方法が採用されている。
【０００８】
ところが、ねじ締結機構に接着剤による緩み止めを採用した場合、接着剤の充填作業が必要となるため、組立工程の工数が増加して、コストアップに繋がるばかりでなく、接着剤がピックアップ等に付着する虞があり、これによって動作不良を引き起こす問題がある。
【０００９】
本発明の目的は、接着剤を用いることなく簡易な構成でねじに緩み止めを施すことが出来るねじ締結機構を提供することである。
【課題を解決するための手段】
【００１０】
本発明に係るねじ締結機構は、ベースに弾性材料からなる被締結部材をねじにより締結するものであって、前記被締結部材は平板状本体部を具え、該平板状本体部には、前記ねじのねじ軸部が挿通されるべきねじ挿通孔が開設されると共に、該ねじ挿通孔を包囲する複数箇所に、ねじ頭部の裏面に圧接されてねじの緩み方向の回転を阻止すべき切起し片が一体成形されている。
【００１１】
上記本発明のねじ締結機構において、被締結部材の複数の切起し片は平板状本体部の表面に対して垂直方向の弾性変形が可能である。ねじのねじ軸部を被締結部材のねじ挿通孔に挿通せしめ、その先端部をベースにねじ込むことによって、被締結部材がベースに締結される。ねじのねじ込み過程においては、ねじ頭部が被締結部材の複数の切起し片を押圧し、これらの切起し片を平板状本体部と表面が揃うまで弾性変形させる。この結果、切起し片はその弾性復帰力によってねじ頭部の裏面に圧接されることになる。従って、ねじが緩み方向に回転せんとする場合、切り起こし片とねじとの間に大きな摩擦抵抗が発生して、緩み方向の回転が阻止される。
又、仮にねじがある程度緩んだとしても、被締結部材の切起し片が完全に弾性復帰しない限り、該切起し片による上述の緩み止め機能は維持される。
【００１２】
具体的構成において、前記被締結部材は、前記ベースに相対回転不能に係合している。該具体的構成によれば、ねじの締め付け作業において被締結部材がねじと供回りすることはないので、作業が容易である。
【００１３】
又、具体的構成において、前記ねじの頭部の裏面には、ねじ軸部を中心として、ねじの緩み方向の回転時に前記被締結部材の切起し片の先端が引っ掛かる複数の段差部が繰り返し形成されている。
該具体的構成によれば、ねじが緩み方向に回転せんとする場合、被締結部材の切起し片の先端がねじ頭部の段差部に引っ掛かり、ねじの緩み方向の回転を確実に阻止する。
【発明の効果】
【００１４】
本発明に係るねじ締結機構によれば、被締結部材に一体成形した複数の切起し片によってねじの緩みを阻止するので、接着剤を用いることなく、然も部品点数の増加を招くことなく、簡易な構成でねじに緩み止めを施すことが出来る。
【発明を実施するための最良の形態】
【００１５】
以下、本発明を光ディスク再生装置に実施した形態につき、図面に沿って具体的に説明する。
本発明に係る光ディスク再生装置は、図１及び図２に示す如く、金属製のシャーシ(１)を具え、該シャーシ(１)上に第１及び第２のガイドシャフト(２)(３)が互いに平行に架設され、両ガイドシャフト(２)(３)によってピックアップベース(４)が往復移動を案内されており、ピックアップベース(４)上のピックアップによってディスクから信号が読み出される。
【００１６】
ここで、第１ガイドシャフト(２)は、ピックアップベース(４)の一方の側部に突設された２つの筒状の軸受け部(41)(42)に緊密に嵌入しているのに対し、第２ガイドシャフト(３)は、ピックアップベース(４)の他方の側部に突設されたＵ字状の軸受け部(43)に遊びをもって嵌入しており、これによってピックアップベース(４)のスムーズな往復移動を実現している。
【００１７】
ピックアップベース(４)上には、図３に示す如くＵ字状軸受け部(43)の側部に、板ばね部材(５)がねじ(６)によって固定されている。
板ばね部材(５)は、板金製であって、図４に示す如く平板状本体部(51)にアーム部(52)を突設してなり、アーム部(52)の先端部の上面には、前記第２ガイドシャフト(３)の外周面に摺接すべき円筒面を有する隆起部(56)が形成されている。板ばね部材(５)のアーム部(52)が発揮する弾性復帰力によって、隆起部(56)が第２ガイドシャフト(３)の外周面に圧接され、この結果、Ｕ字状軸受け部(43)の内面が第２ガイドシャフト(３)の外周面に押し付けられて、ピックアップベース(４)の往復移動に伴うガタツキが防止される。
【００１８】
板ばね部材(５)の平板状本体部(51)には、ねじ挿通孔(53)が開設されると共に、該ねじ挿通孔(53)を包囲する複数箇所には、上向きに突出する複数の切起し片(55)が一体成形されている。尚、これらの切起し片(55)は、ねじ(６)の締め付け方向の回転を許容し且つ緩み方向の回転を阻止すべき向きに切り起こされている。即ち、ねじ(６)が締め付け方向に回転するときは、ねじ頭部(61)の裏面が切起し片(55)の表面(傾斜面)上を滑り、ねじ(６)が緩み方向に回転するときは、ねじ頭部(61)の裏面が切起し片(55)の先端と当接する様、切起し片(55)の切起し方向が決められている。
【００１９】
又、板ばね部材(５)の平板状本体部(51)には、位置決め孔(54)が開設されており、図３(ａ)に示す如くピックアップベース(４)の表面に突設された凸部(45)が板ばね部材(５)の位置決め孔(54)に緊密に嵌入することによって、ピックアップベース(４)に対する板ばね部材(５)の位置決めが行なわれる(図３(ｂ)参照)。
【００２０】
ピックアップベース(４)に板ばね部材(５)を固定する際は、図３(ａ)(ｂ)に示す如くピックアップベース(４)に板ばね部材(５)を設置し、板ばね部材(５)のねじ挿通孔(53)にねじ(６)を挿通させて、その先端部をピックアップベース(４)にねじ込む。
尚、ピックアップベース(４)に板ばね部材(５)を設置することによって、該板ばね部材(５)はピックアップベース(４)に相対回転不能に係合することになる。従って、ねじ(６)のねじ込み作業において、板ばね部材(５)が供回りすることはなく、作業は容易である
【００２１】
ねじ(６)のねじ込み過程においては、図５(ａ)に示す如く、ねじ頭部(61)が板ばね部材(５)の複数の切起し片(55)を押圧し、最終的に、これらの切起し片(55)を板ばね部材(５)の平板状本体部(51)と表面が揃うまで弾性変形させる。この結果、切起し片(55)はその弾性復帰力によってねじ頭部(61)の裏面に圧接されることになる。従って、ねじが緩み方向に回転せんとする場合、切起し片(55)とねじ(６)との間に大きな摩擦抵抗が発生して、緩み方向の回転が阻止される。
【００２２】
又、仮に寒暖の差等によってねじ(６)の締結力が低下し、図５(ｂ)の如くねじ(６)が僅かに緩んだとしても、板ばね部材(５)の切起し片(55)が完全に弾性復帰しない限り、切起し片(55)はねじ頭部(61)の裏面に圧接され、ねじ(６)に対する緩み止め機能は維持される。
【００２３】
図６は、更に確実な緩み止めを施すためのねじ(６)の構造を表わしており、図示の如く、ねじ頭部(61)の裏面には、ねじ軸部(62)を中心として、ねじの緩み方向の回転時に前記切起し片(55)の先端が引っ掛かる複数の段差部(63)が繰り返し形成されている。
この場合、ねじ(６)が緩み方向に回転せんとしても、前記切起し片(55)の先端がねじ頭部(61)の段差部(63)に引っ掛かり、ねじ(６)の緩み方向の回転を確実に阻止する。
【００２４】
上述の如く本発明に係る光ディスク再生装置においては、板ばね部材(５)に一体成形した複数の切起し片(55)によってねじ(６)の緩みを阻止するので、接着剤を用いることなく、然も部品点数の増加を招くことなく、簡易な構成でねじ(６)に緩み止めを施すことが出来る。
【００２５】
図７は、本発明に係る光ディスク再生装置の他の実施例を示している。金属製のシャーシ(１)の表面には、２本のガイドシャフト(２)(３)の両端部を支持すべき２つの樹脂成型部材(７)(７)がそれぞれ、ねじ(６)によって固定されている。
各樹脂成型部材(７)には、図８に示す如くねじ(６)のねじ軸部(62)を挿通すべきねじ挿通孔(71)が開設されると共に、該ねじ挿通孔(71)を包囲する複数箇所に、ねじ(６)の緩み方向の回転を阻止すべき切起し片(72)が一体成形されている。
【００２６】
樹脂成型部材(７)を例えばジュラコン(ポリオキシメチレン)やＡＢＳ樹脂によって作製すれば、切起し片(72)は充分な弾性を発揮するので、ねじ(６)に対して充分な緩み止めを施すことが出来る。
【００２７】
尚、本発明の各部構成は上記実施の形態に限らず、特許請求の範囲に記載の技術的範囲内で種々の変形が可能である。例えば、図６に示すねじ(６)に代えて、ねじ頭部(61)の裏面にローレット加工等、緩み方向の回転を阻止し得る種々の加工を施したねじを採用することも可能である。
【図面の簡単な説明】
【００２８】
【図１】光ディスク再生装置の主要構成を示す斜視図である。
【図２】該主要構成の分解斜視図である。
【図３】本発明に係るねじ締結機構の組立工程を説明する斜視図である。
【図４】板ばね部材の拡大斜視図である。
【図５】本発明における切起し片による緩み止め作用の説明図である。
【図６】ねじの一例を示す斜視図である。
【図７】本発明の他の実施例を示す斜視図である。
【図８】該実施例の要部を示す拡大斜視図である。
【符号の説明】
【００２９】
(１)  シャーシ
(２)  第１ガイドシャフト
(３)  第２ガイドシャフト
(４)  ピックアップベース
(５)  板ばね部材
(51)  平板状本体部(51)
(52)  アーム部
(53)  ねじ挿通孔
(55)  切起し片
(６)  ねじ
(61)  ねじ頭部
(62)  ねじ軸部
(７)  樹脂成型部材
(71)  ねじ挿通孔
(72)  切起し片
【図１】
2005330980.tif 000003
【図２】
2005330980.tif 000004
【図３】
2005330980.tif 000005
【図４】
2005330980.tif 000006
【図５】
2005330980.tif 000007
【図６】
2005330980.tif 000008
【図７】
2005330980.tif 000009
【図８】
2005330980.tif 000010